(57)【要約】【課題】起動直後等であっても、部品に過度の電流が与えられることを防止できる電子機器、表示装置及びテレビジョン受信機を提供する。【解決手段】第１温度センサ１８は、バックライト１６ｂ近傍での温度を検出し、第２温度センサ１９は、バックライト１６ｂから離れた箇所での温度を検出する。制御部１０は、２つの温度センサ１８，１９にて検出した２つの温度情報に基づいて、テレビジョン受信機１の周囲温度を算出する。また制御部１０は、算出した周囲温度に応じた電流値をバックライト１６ｂに与えるように電源部１７に指示する。【選択図】図１
2014071342.tif 000002
【特許請求の範囲】
【請求項１】
動作時に発熱する部品を筐体内に有する電子機器において、
前記部品の近傍に設けられた第１温度センサと、
前記筐体内の、前記第１温度センサよりも前記部品から離れた箇所に設けられた第２温度センサと、
前記第１温度センサ及び第２温度センサにて取得した温度情報に基づいて、前記筐体の周囲の温度を算出する算出部と、
該算出部が算出した温度に基づいて、前記部品の動作を制御する制御部と
を備えることを特徴とする電子機器。
【請求項２】
前記算出部は、以下の式に基づいて、前記筐体の周囲の温度を算出するようにしてあることを特徴とする請求項１に記載の電子機器。
Ｔ＝Ｂ−β（Ａ−Ｂ）／α
但し、Ｔは周囲の温度、
Ａは第１温度センサにて取得した温度情報、
Ｂは第２温度センサにて取得した温度情報、
α，βは定数
【請求項３】
請求項１又は２に記載の電子機器を備える表示装置であって、
前記部品は、バックライトであり、
前記周囲の温度に対応付けて、前記バックライトに与える電流の電流値を記憶する記憶部と、
前記算出部が算出した温度に応じた電流値を前記記憶部から特定する特定部とを備え、
前記制御部は、前記特定部が特定した電流値に基づいて前記バックライトに与える電流を制御するようにしてあることを特徴とする表示装置。
【請求項４】
前記第１温度センサは、前記バックライトを保持する保持体又は該保持体に取り付けられた基板上に設けられており、
前記第２温度センサは、前記筐体の内面又は前記基板上で、前記バックライトから離れた箇所に設けられていることを特徴とする請求項３に記載の表示装置。
【請求項５】
請求項３又は４に記載の表示装置と、
テレビジョン放送を受信する受信部とを備え、
該受信部にて受信したテレビジョン放送に基づいて、前記表示装置に映像を表示するようにしてあることを特徴とするテレビジョン受信機。
【発明の詳細な説明】
【技術分野】
【０００１】
本発明は、動作時に発熱する部品を筐体内に有する電子機器、表示装置及びテレビジョン受信機に関する。
【背景技術】
【０００２】
液晶パネルを有する液晶テレビ及び液晶モニタは、液晶パネルを背面側から照明するバックライトを備える。バックライトには、例えば、ＣＣＦＬ（冷陰極蛍光管：Cold Cathode Fluorescent Lamp）又はＬＥＤ（発光ダイオード：Light Emitting Diode ）が使用される。バックライトは、流す電流の量（電流値）を増加させることにより、輝度（明るさ）を上昇させることができ、高輝度での画像表示を実現できる。しかし、バックライトは、与える電流値の増加に伴って発熱し、バックライト自体の温度が上昇し、ある電流値（温度）以上では輝度の上昇が停止する傾向を有する。従って、輝度の上昇が停止する電流値を上限として、実現すべき輝度に応じた電流値となるようにバックライトに与える電流値が制御されている。
また、液晶テレビ及び液晶モニタ等の電子機器は、正常に動作できる使用環境として動作周囲温度が保証されている。よって、バックライトのように動作時に発熱する部品を備える電子機器では、機器周辺の温度が、保証された動作周囲温度の範囲内となるように、バックライト等の部品に与える電流値が制御されている。
【０００３】
特許文献１では、主光源の周囲の温度を測定し、測定した温度に応じて補助光源を点灯させて、主光源からの発光量の低下を補う装置が提案されている。特許文献１に開示された装置では、機器の周辺が低温状態での動作時、又は主光源の動作が安定するまでの間等、主光源の輝度が低下する際に補助光源を点灯させることにより、主光源の輝度（発光量）の低下を補助光源にて補うことができる。
【先行技術文献】
【特許文献】
【０００４】
【特許文献１】特開２００２−２１５０５８号公報
【発明の概要】
【発明が解決しようとする課題】
【０００５】
特許文献１に開示された装置のように、バックライトの周囲の温度に応じてバックライトの発光量を制御する場合、起動直後（バックライトの動作開始直後）では、バックライトに多くの電流を与えるような制御が行われる。これは、液晶テレビ又は液晶モニタの周辺の温度が低い場合には、動作開始直後のバックライトの周囲の温度も低いので、輝度を上昇させる制御が行われるからである。その後、バックライトの動作が安定してくると、バックライトの周囲の温度が上昇し、バックライトに与える電流値を下げるような制御が行われる。
このような制御が行われた場合、起動直後よりも、バックライトの動作が安定した後の方が発光量（輝度）が低下するので、ユーザに、バックライトの動作が安定した後の画面が暗いという印象を与える虞がある。
【０００６】
本発明は、斯かる事情に鑑みてなされたものである。その目的とするところは、起動直後のように部品の周囲の温度が低い場合であっても、部品に過度の電流が与えられることを防止できる電子機器、表示装置及びテレビジョン受信機を提供することにある。
【課題を解決するための手段】
【０００７】
本発明に係る電子機器は、動作時に発熱する部品を筐体内に有する電子機器において、前記部品の近傍に設けられた第１温度センサと、前記筐体内の、前記第１温度センサよりも前記部品から離れた箇所に設けられた第２温度センサと、前記第１温度センサ及び第２温度センサにて取得した温度情報に基づいて、前記筐体の周囲の温度を算出する算出部と、該算出部が算出した温度に基づいて、前記部品の動作を制御する制御部とを備えることを特徴とする。
【０００８】
本発明によれば、電子機器は、第１温度センサにて、動作時に発熱する部品の近傍の温度を検出し、第２温度センサにて、前記部品から離れた箇所の温度を検出する。そして、電子機器は、２つの温度センサにて検出した温度に基づいて、筐体の周囲の温度を算出（推定）する。例えば、起動直後は、部品の近傍での温度と部品から離れた箇所での温度との差が少なく、部品の動作が安定した後は、前記差が大きくなる傾向がある。よって、２箇所での温度に基づいて、それぞれの状況における筐体の周囲の温度を精度よく推定できる。また、推定した周囲の温度を用いて前記部品の動作を制御することにより、起動直後で部品の近傍での温度が低い場合であっても、前記部品に過度の電流が与えられることを防止できる。
【０００９】
本発明に係る電子機器は、前記算出部は、以下の式に基づいて、前記筐体の周囲の温度を算出するようにしてあることを特徴とする。
Ｔ＝Ｂ−β（Ａ−Ｂ）／α
但し、Ｔは周囲の温度、
Ａは第１温度センサにて取得した温度情報、
Ｂは第２温度センサにて取得した温度情報、
α，βは定数
【００１０】
本発明によれば、電子機器は、２つの温度センサにて検出した温度情報を上記の式に代入することにより、筐体の周囲の温度を容易に推定できる。なお、αの値は、例えば、動作が安定した後における第１温度センサの検出温度から第２温度センサの検出温度を差し引いた温度であり、βの値は、例えば、動作が安定した後における第２温度センサの検出温度から、そのときの機器の周囲の温度を差し引いた温度である。α及びβの値を、実際に電子機器を動作させ、それぞれの温度を検出して特定することにより、機器の周囲温度を精度よく推定できる。
【００１１】
本発明に係る表示装置は、上述した電子機器を備える表示装置であって、前記部品は、バックライトであり、前記周囲の温度に対応付けて、前記バックライトに与える電流の電流値を記憶する記憶部と、前記算出部が算出した温度に応じた電流値を前記記憶部から特定する特定部とを備え、前記制御部は、前記特定部が特定した電流値に基づいて前記バックライトに与える電流を制御するようにしてあることを特徴とする。
【００１２】
本発明によれば、精度よく推定した表示装置の周囲温度に基づいて、バックライトに与える電流を制御することにより、起動直後でバックライトの近傍での温度が低い場合であっても、バックライトに過度の電流が与えられることを防止できる。
【００１３】
本発明に係る表示装置は、前記第１温度センサは、前記バックライトを保持する保持体又は該保持体に取り付けられた基板上に設けられており、前記第２温度センサは、前記筐体の内面又は前記基板上で、前記バックライトから離れた箇所に設けられていることを特徴とする。
【００１４】
本発明によれば、バックライトの近傍の温度を検出する第１温度センサは、バックライトを保持する保持体、又は保持体に取り付けられた基板上に設けられる。また、バックライトから離れた箇所の温度を検出する第２温度センサは、筐体の内面又は前記基板上で、バックライトから離れた箇所に設けられる。２つの温度センサを適切な箇所に配置することにより、表示装置の周囲温度をより精度よく推定できる。
【００１５】
本発明に係るテレビジョン受信機は、上述した表示装置と、テレビジョン放送を受信する受信部とを備え、該受信部にて受信したテレビジョン放送に基づいて、前記表示装置に映像を表示するようにしてあることを特徴とする。
【００１６】
本発明によれば、テレビジョン受信機においても、起動直後でバックライトの近傍での温度が低い場合であっても、バックライトに過度の電流が与えられることを防止できる。
【発明の効果】
【００１７】
本発明では、起動直後で部品の近傍での温度が低い場合であっても、精度よく推定した周囲温度に基づく電流値が部品に与えられるので、前記部品に過度の電流が与えられることを防止できる。よって、例えば、表示装置及びテレビジョン受信機において、起動直後においても、周囲温度に応じた電流値がバックライトに与えられるので、起動直後よりも、バックライトの動作が安定した後の画面が暗いという印象を与える虞がない。
【図面の簡単な説明】
【００１８】
【図１】本実施形態のテレビジョン受信機の構成例を示すブロック図である。
【図２】本実施形態のテレビジョン受信機の構成例を示す分解斜視図である。
【図３】バックライトに与える電流値の制御処理の手順を示すフローチャートである。
【図４】筐体の周囲温度の算出式を説明するためのグラフである。
【図５】設定テーブルの構成例を示す模式図である。
【図６】起動開始からの経過時間に対する輝度の変化を示すグラフである。
【発明を実施するための形態】
【００１９】
以下に、本発明に係る電子機器、表示装置及びテレビジョン受信機について、その実施形態であるテレビジョン受信機を示す図面に基づいて詳述する。
【００２０】
図１は、本実施形態のテレビジョン受信機の構成例を示すブロック図である。本実施形態のテレビジョン受信機１は、制御部１０、ＲＡＭ（Random Access Memory）１１、記憶部１２、チューナ１３、信号処理部１４、操作部１５、表示部１６、電源部１７、第１温度センサ１８及び第２温度センサ１９等を備える。これらの各部はバスを介して相互に接続されている。
【００２１】
制御部１０は、ＣＰＵ（Central Processing Unit ）又はＭＰＵ（Micro Processor Unit）等である。制御部１０は、記憶部１２に記憶されている制御プログラムを適宜ＲＡＭ１１にロードして実行することにより上述した各部を制御し、テレビジョン受信機１を、本発明に係るテレビジョン受信機として動作させる。また制御部１０は時計を有する。
【００２２】
ＲＡＭ１１は、ＳＲＡＭ（Static ＲＡＭ）、ＤＲＡＭ（Dynamic ＲＡＭ）、フラッシュメモリ等である。ＲＡＭ１１は、制御部１０による各種の制御プログラムの実行時に発生する種々のデータを一時的に記憶する。
記憶部１２は、ＥＥＰＲＯＭ  （Electrically Erasable and Programmable ROM）、フラッシュメモリ、ＨＤＤ  （Hard Disk Drive） 等の不揮発性メモリである。記憶部１２は、制御部１０が実行すべき制御プログラム及び各種データを予め記憶している。
【００２３】
チューナ（受信部）１３は、図示しないアンテナに接続されており、ユーザ（視聴者）により選択されたチャンネルに応じてアンテナで受信した電波を検波してテレビジョン放送の放送信号を受信する。チューナ１３は、受信した放送信号を信号処理部１４へ送出する。
【００２４】
信号処理部１４は、チューナ１３が受信した放送信号に対して、ＦＦＴ（高速フーリエ変換）処理及び復調処理等の所定の処理を行い、放送信号から、放送番組の番組信号を抽出する。信号処理部１４は、制御部１０からの指示に従って、抽出した放送番組の番組信号を表示部１６へ送出して表示させる。また信号処理部１４が放送信号から抽出した番組信号には音声信号が含まれており、音声信号は、図示しないスピーカへ入力されて音声出力される。
【００２５】
操作部１５は、テレビジョン受信機１をユーザが操作するために必要な各種のキーを備えており、ユーザにより各キーが操作された場合、操作されたキーに対応した制御信号を制御部１０へ送出する。制御部１０は操作部１５から取得する制御信号に従って各種処理を実行する。
テレビジョン受信機１は、遠隔から操作するためのリモートコントロール装置から送信されてくるリモコン信号を受信する受信部を備えてもよい。この場合、受信部は、受信したリモコン信号を制御部１０へ送出し、制御部１０は、リモコン信号を解析し、リモコン信号に応じてテレビジョン受信機１の各部の動作を制御する。以下では、リモートコントロール装置を介してユーザが行った操作も、操作部１５を介してユーザが行った操作として説明する。
【００２６】
表示部１６は、液晶ディスプレイであり、液晶パネル１６ａ及びバックライト１６ｂ等を有する。液晶パネル１６ａ及びバックライト１６ｂが、制御部１０からの指示に従って動作することにより、表示部１６は、各種の情報を表示する。例えば、表示部１６は、チューナ１３で受信されて信号処理部１４で処理された放送信号に基づいて番組情報（映像）を表示する。また表示部１６は、テレビジョン受信機１の動作状態、ユーザに対して通知すべき情報、テレビジョン受信機１を操作するためのメニュー画面等を表示する。
【００２７】
図２は、本実施形態のテレビジョン受信機１の構成例を示す分解斜視図である。本実施形態のテレビジョン受信機１は、フロントキャビネット１ａ及びバックキャビネット１ｂにて構成される筐体を有する。筐体の内部には、フロントキャビネット１ａ側に、矩形板状の液晶パネル１６ａが収容されており、バックキャビネット１ｂ側に、矩形板状のバックライトシャーシ１６ｃが収容されている。
液晶パネル１６ａは、例えば、赤（Ｒ）、緑（Ｇ）及び青（Ｂ）の３原色カラーフィルタを有しており、フロントキャビネット１ａは、液晶パネル１６ａの周縁部を取り囲んで保持している。液晶パネル１６ａの背面側（表示面の裏面側）には、バックライト１６ｂを保持するバックライトシャーシ（保持部）１６ｃが配置されており、バックライトシャーシ１６ｃに取り付けられたバックライト１６ｂが、液晶パネル１６ａを背面側から照明する。図２では、バックライトシャーシ１６ｃに棒状のバックライト１６ｂが３つ設けてあるが、バックライト１６ｂの形状及び個数は、この構成に限定されない。バックライト１６ｂは、例えば、ＣＣＦＬ又はＬＥＤを用いて構成されており、面状に構成されていてもよい。バックキャビネット１ｂは、バックライトシャーシ１６ｃの背面側を覆った状態で、フロントキャビネット１ａにネジ止めされる。なお、バックライトシャーシ１６ｃには、バックライト１６ｂからの光を均一に拡散させ、液晶パネル１６ａに入射させるための光学シート及び反射シート等が設けてある。また、バックライトシャーシ１６ｃにおいて、例えば背面側には、テレビジョン受信機１が有するメイン基板（図示せず）が取り付けてあり、メイン基板上に、制御部１０、ＲＡＭ１１、記憶部１２、チューナ１３、信号処理部１４等が設けてある。
【００２８】
電源部１７は、例えば、電源コンセント又は電池に接続され、電源コンセント又は電池から供給される電力を、テレビジョン受信機１が備える各部に供給する。特に、電源部１７は、制御部１０からの指示に従って、バックライト１６ｂに与える電流値を適宜変更し、これにより、バックライト１６ｂの輝度（明るさ）を変更することができる。
【００２９】
第１温度センサ１８及び第２温度センサ１９は、テレビジョン受信機１の筐体内部の温度を検出する温度センサである。第１温度センサ１８は、バックライト１６ｂの近傍に設けてあり、例えば、図２に示すようにバックライトシャーシ１６ｃに設けられる。なお、第１温度センサ１８は、バックライトシャーシ１６ｃに直接設けてもよいし、バックライトシャーシ１６ｃに取り付けられたメイン基板上に設けてもよい。
第２温度センサ１９は、第１温度センサ１８よりもバックライト１６ｂから離れた箇所に設けてあり、例えば、図２に示すようにフロントキャビネット１ａの下部の内面に設けてある。なお、第２温度センサ１９は、フロントキャビネット１ａに直接設けてもよいし、リモートコントロール装置からのリモコン信号を受信する受信部を有する小基板がフロントキャビネット１ａの下部の内面に取り付けられている場合、この小基板に設けてもよい。また、第２温度センサ１９は、バックライトシャーシ１６ｃに取り付けられたメイン基板の端部に設けてもよい。
第１温度センサ１８及び第２温度センサ１９の配置箇所は、上述した各箇所に限定されない。
【００３０】
以下に、本実施形態のテレビジョン受信機１において、制御部１０が行うバックライト１６ｂに与える電流値の制御処理についてフローチャートに基づいて説明する。図３は、バックライト１６ｂに与える電流値の制御処理の手順を示すフローチャートである。
テレビジョン受信機１は、ユーザによって操作部１５の電源ボタンを操作された場合、起動処理を開始するが、このとき、制御部１０は以下の処理も行う。
【００３１】
テレビジョン受信機１の制御部１０は、自身の時計によって所定時間の計時処理を開始する（Ｓ１）。ここでの所定時間は、以下の処理を定期的に行う際の時間間隔であり、例えば、１００ｍ秒、数１００ｍ秒等である。
次に制御部１０は、第１温度センサ１８による測定温度（以下、第１温度情報という）を取得し（Ｓ２）、第２温度センサ１９による測定温度（以下、第２温度情報という）を取得する（Ｓ３）。
【００３２】
制御部（算出部）１０は、取得した第１温度情報及び第２温度情報を、以下の式１に代入することにより、テレビジョン受信機１の筐体の周囲温度を算出する（Ｓ４）。なお、周囲温度は、例えば、筐体の外周面（外装表面）から３０ｃｍから４０ｃｍ程度離れた箇所の温度とする。
【００３３】
Ｔ＝Ｂ−β（Ａ−Ｂ）／α    …（式１）
但し、Ｔは周囲温度、Ａは第１温度情報、Ｂは第２温度情報、α，βは定数
【００３４】
図４は、筐体の周囲温度の算出式（上記の式１）を説明するためのグラフである。図４に示すグラフにおいて、横軸は、テレビジョン受信機１の起動開始からの経過時間を示し、縦軸は温度を示す。また、上方の実線は第１温度情報の変化を示し、下方の実線は第２温度情報の変化を示しており、図４では、筐体の周囲温度がＴである場合の第１温度情報及び第２温度情報の変化を示す。図４に示すように、第１温度情報及び第２温度情報は、起動開始時点では周囲温度Ｔと同一の温度となっており、バックライト１６ｂの動作が安定するまでの間、経過時間に対して一定の比率で上昇し、バックライト１６ｂの動作が安定した後は、一定の温度を保つ傾向を有する。
【００３５】
図４に示すように、上記の式１中のαは、バックライト１６ｂの動作が安定した後における第１温度情報から第２温度情報を差し引いた値であり、βは、バックライト１６ｂの動作が安定した後における第２温度情報から周囲温度Ｔを差し引いた値である。また、バックライト１６ｂの動作が安定するまでの間で、経過時間ｔにおける第１温度情報から第２温度情報を差し引いた値α’と、第２温度情報から周囲温度Ｔを差し引いた値β’とは、α：β＝α’：β’の関係を有している。これにより、α’＝β’α／βの関係式が得られる。
【００３６】
また、バックライト１６ｂの動作が安定するまでの間の経過時間ｔにおける第１温度情報をＡ、第２温度情報をＢとした場合、周囲温度Ｔは、以下の式２，３で表せる。
Ｔ＝Ａ−α’−β’  …（式２）
Ｔ＝Ｂ−β’        …（式３）
【００３７】
ここで、上記の式３より、β’＝Ｂ−Ｔが得られ、上記の関係式と共に上記の式２に代入することにより、上記の式１が得られる。
なお、式１中のα及びβの値は、テレビジョン受信機１（バックライト１６ｂ）が安定して動作しているときに、その際の第１温度情報、第２温度情報及び周囲温度を予め計測することにより決定される。例えば、αの値が２０、βの値が１０という実験結果が得られており、この場合、制御部１０は、以下の式４を用いて、テレビジョン受信機１の筐体の周囲温度を算出する。
【００３８】
Ｔ＝Ｂ−（Ａ−Ｂ）／２    …（式４）
但し、Ｔは周囲温度、Ａは第１温度情報、Ｂは第２温度情報
【００３９】
筐体の周囲温度を算出した場合、制御部（特定部）１０は、算出した周囲温度に対応する設定可能最大電流値を特定する（Ｓ５）。本実施形態のテレビジョン受信機１は、筐体の周囲温度と設定可能最大電流値とを対応付けた設定テーブルを予め記憶部１２に記憶しており、設定テーブルを参照することにより、算出した周囲温度に対応する設定可能最大電流値を特定する。
【００４０】
図５は、設定テーブルの構成例を示す模式図である。図５に示す設定テーブルには、筐体の周囲温度、第１温度情報、第２温度情報、バックライト温度スペック、設定可能最大電流値、最大電流時の輝度等が対応付けて記憶されている。
筐体の周囲温度は、テレビジョン受信機１の周囲において取り得る温度であり、テレビジョン受信機１において正常に動作できる使用環境として保証されている０℃から４０℃までの温度が記憶されている。図５に示す例では、０℃、１０℃、２０℃、３０℃及び４０℃の５つの温度が記憶されているが、これらの温度に限定されない。
【００４１】
第１温度情報は、第１温度センサ１８にて測定されたバックライト１６ｂの近傍での温度であり、第２温度情報は、第２温度センサ１９にて測定されたバックライト１６ｂから離れた箇所での温度である。第１温度情報及び第２温度情報は、テレビジョン受信機１が起動し、バックライト１６ｂが安定した動作を行っている場合の各温度であり、それぞれの周囲温度に応じた温度を示す。
バックライト温度スペックは、バックライト１６ｂの近傍で取り得る最高温度であり、テレビジョン受信機１において保証されている周囲温度の最高値である４０℃を維持するために、バックライト１６ｂの近傍で許容される最高温度である。従って、第１温度センサ１８にて測定されるバックライト１６ｂ近傍での温度が、バックライト温度スペックが示す温度以上にならないように、電源部１７がバックライト１６ｂに与える電流値は制御される。
【００４２】
設定可能最大電流値は、筐体の周囲温度が各温度であった場合に、バックライト１６ｂに与えることが許容されている最大電流値である。従って、各周囲温度に応じた設定可能最大電流値の電流をバックライト１６ｂに与えた場合であっても、テレビジョン受信機１において保証されている周囲温度の最高値である４０℃を維持できる。
最大電流時の輝度は、設定可能最大電流値の電流をバックライト１６ｂに与えた場合に得られる輝度である。
【００４３】
設定テーブルに格納される各値は、例えばテレビジョン受信機１の組み立て後、実験によって測定されて記憶される。
本実施形態では、制御部１０は、上述した構成の設定テーブルに基づいて、筐体の周囲温度に対応する設定可能最大電流値を特定する。
【００４４】
なお、図５に示す設定テーブルは、バックライト１６ｂが安定した動作を行っている場合にも用いられる。具体的には、バックライト１６ｂが安定した動作を行っている場合、制御部１０は、筐体の周囲温度だけでなく、第１温度情報（バックライト１６ｂ近傍の温度）及び第２温度情報（バックライト１６ｂから離れた箇所での温度）も考慮し、対応する設定可能最大電流値を特定する。
一方、テレビジョン受信機１の起動直後では、第１温度情報及び第２温度情報は、バックライト１６ｂが安定した動作を行っている場合よりも低い温度となるので、筐体の周囲温度のみに基づいて設定可能最大電流値を特定する。よって、テレビジョン受信機１の起動直後において、制御部１０が、筐体の周囲温度に対応する設定可能最大電流値を特定する際に用いるテーブルとしては、各周囲温度と、各周囲温度に対応する設定可能最大電流値とが記憶されていればよい。
【００４５】
設定可能最大電流値を特定した場合、制御部１０は、設定可能最大電流値が、前回特定した値から変化したか否かを判断する（Ｓ６）。制御部１０は、特定した設定可能最大電流値を、例えばＲＡＭ１１に記憶しており、ステップＳ５で特定した値と、ＲＡＭ１１に記憶してある値とが異なるか否かを判断する。
設定可能最大電流値が変化したと判断した場合（Ｓ６：ＹＥＳ）、制御部１０は、バックライト１６ｂに与える電流値（調光電流値）を、ステップＳ５で特定した設定可能最大電流値に変更する（Ｓ７）。そして制御部１０は、特定した設定可能最大電流値の電流をバックライト１６ｂに与えるように電源部１７に指示する。設定可能最大電流値が変化していないと判断した場合（Ｓ６：ＮＯ）、制御部１０は、ステップＳ７の処理をスキップする。
【００４６】
制御部１０は、ステップＳ１で開始した計時処理に基づいて所定時間が経過したか否かを判断し（Ｓ８）、所定時間が経過していないと判断した場合（Ｓ８：ＮＯ）、所定時間が経過するまで、その他の処理を行って待機する。所定時間が経過したと判断した場合（Ｓ８：ＹＥＳ）、制御部１０は、ステップＳ１に処理を戻し、ステップＳ１〜Ｓ８の処理を繰り返す。制御部１０は、ユーザによって再度電源ボタンを操作されることにより動作終了を指示されるまで、上述の処理を繰り返す。
【００４７】
上述した処理により、バックライト１６ｂの近傍の第１温度情報と、バックライト１６ｂから離れた箇所での第２温度情報とに基づいて、筐体の周囲温度を適切に算出（推定）できる。よって、テレビジョン受信機１の起動直後のように、バックライト１６ｂの温度が安定動作中の温度よりも低い場合であっても、適切に算出された筐体の周囲温度に基づいて、適切な電流量をバックライト１６ｂに与えることができる。
【００４８】
図６は、起動開始からの経過時間に対する輝度の変化を示すグラフである。図６に示すグラフにおいて、横軸は、テレビジョン受信機１の起動開始からの経過時間を示し、縦軸は輝度を示す。また、破線は、従来のテレビジョン受信機における輝度の変化を示し、実線は、本実施形態のテレビジョン受信機１における輝度の変化を示す。なお、ここでの従来のテレビジョン受信機は、バックライト１６ｂ近傍の温度が低いほど、バックライト１６ｂに与える電流値を多く制御する構成とする。
図６に示すように、従来のテレビジョン受信機では、起動直後はバックライト１６ｂ近傍の温度が低いので、周囲温度に応じた適切な電流値以上の過剰な電流がバックライト１６ｂに与えられる。また、バックライト１６ｂの動作が安定した後は、バックライト１６ｂ近傍の温度が上昇するので、周囲温度に応じた適切な電流値がバックライト１６ｂに与えられる。よって、バックライト１６ｂに与えられる電流値が、起動直後よりも、バックライト１６ｂの動作が安定した後の方が少なくなるので、起動直後の輝度よりも、バックライト１６ｂの動作が安定した後の方が低くなる。これにより、ユーザに、起動直後よりも画面が暗いという印象を与える虞がある。
【００４９】
一方、本実施形態のテレビジョン受信機１では、起動直後であっても、バックライト１６ｂに過剰な電流が与えられず、バックライト１６ｂの動作が安定した後に与えられるべき電流値と同程度の電流値が与えられる。よって、起動直後から、バックライト１６ｂの動作が安定した後に得られる輝度と同程度の輝度が得られ、周囲温度に応じた輝度を安定して得ることができる。また、テレビジョン受信機１の起動直後であっても、バックライト１６ｂに過剰な電流を与えないので、バックライト１６ｂに過剰な負荷を与えることもない。
【００５０】
上述の実施形態では、第１温度情報及び第２温度情報を上記の式１に代入することによってテレビジョン受信機１の筐体の周囲温度を算出する構成であった。このほかに、予め用意されたテーブルを参照することにより、第１温度情報及び第２温度情報に対応する筐体の周囲温度を算出してもよい。例えば、それぞれの周囲温度毎に、バックライト１６ｂの動作が安定するまでの間における第１温度情報及び第２温度情報を予め計測して記憶したテーブルを用いて、筐体の周囲温度を算出してもよい。
【００５１】
本実施形態では、テレビジョン受信機１において、バックライト１６ｂ近傍の温度と、バックライト１６ｂから離れた箇所での温度とを測定し、測定結果に基づいてテレビジョン受信機１の周囲温度を推定（算出）する構成であった。
本発明は、テレビジョン受信機１に限定されず、動作時に発熱する部品を筐体内に有する電子機器に適用できる。従って、動作時に発熱する部品の近傍と、該部品から離れた箇所での温度とに基づいて、電子機器の周囲温度を推定し、推定した周囲温度を、該部品の制御に用いることができる。
【００５２】
以上、本発明の好適な実施形態について具体的に説明したが、各構成及び動作等は適宜変更可能であって、上述の実施形態に限定されることはない。
【符号の説明】
【００５３】
１  テレビジョン受信機（電子機器、表示装置）
１０  制御部（算出部、特定部）
１２  記憶部
１３  チューナ（受信部）
１８  第１温度センサ
１９  第２温度センサ
【図１】
2014071342.tif 000003
【図２】
2014071342.tif 000004
【図３】
2014071342.tif 000005
【図４】
2014071342.tif 000006
【図５】
2014071342.tif 000007
【図６】
2014071342.tif 000008